(57)【要約】【課題】ジャッキの高さ方向の調整は勿論のこと、前後方向や左右方向への位置調整も行うことができるジャッキの位置調整具を提供する。【解決手段】ジャッキ１と、ジャッキ１を一方向（前後方向又は左右方向）に移動可能に支持するジャッキ支持台２と、ジャッキ支持台２を一方向と直角な他方向（左右方向又は前後方向）に移動可能に支持する基台３とを備える。ジャッキ支持台２に、ジャッキ１の一方向の位置を固定するロック機構と、ジャッキ１の一方向の位置を微調整する微調整機構とを設け、基台３に、ジャッキ支持台２の他方向の位置を固定するロック機構と、ジャッキ支持台２の他方向の位置を微調整する微調整機構とを設けた。ジャッキ支持台２及び基台３のロック機構と微調整機構により、ジャッキ１を高さ方向だけでなく、前後方向及び左右方向にも移動させることができ、ジャッキ１の３方向の位置を調整できる。【選択図】      図１
2004256269.tif 000002
【特許請求の範囲】
【請求項１】
ジャッキと、このジャッキを前後方向及び左右方向のいずれか一方向に移動可能に支持するジャッキ支持台とを備えることを特徴とするジャッキの位置調整具。
【請求項２】
前記ジャッキ支持台に、ジャッキの一方向の位置を固定するロック機構と、ジャッキの一方向の位置を微調整する微調整機構とを設けたことを特徴とする請求項１記載のジャッキの位置調整具。
【請求項３】
前記ジャッキ支持台を一方向と直角な他方向に移動可能に支持する基台を備えることを特徴とする請求項１又は請求項２記載のジャッキの位置調整具。
【請求項４】
前記基台に、ジャッキ支持台の他方向の位置を固定するロック機構と、ジャッキ支持台の他方向の位置を微調整する微調整機構とを設けたことを特徴とする請求項１、請求項２又は請求項３記載のジャッキの位置調整具。
【発明の詳細な説明】
【０００１】
【発明の属する技術分野】
この発明は、ジャッキを前後方向及び／又は左右方向に移動可能に支持するとともに、その方向の位置を調整するジャッキの位置調整具に関する。
【０００２】
【従来の技術】
工作物や構造物を持ち上げるのに用いるジャッキには、ねじジャッキ、ラックを用いた駆動ジャッキ、水圧ジャッキなどがある。これらのジャッキは、例えば自動車のタイヤを交換するときに車体を持ち上げたり、或いはパンタグラフ形ジャッキにより建物ユニットの間隔を一定に保ったり間隔を調整するのに利用される（例えば、特許文献１参照）。
【０００３】
【特許文献１】
実公平７−２５３９２号公報
【０００４】
【発明が解決しようとする課題】
ジャッキにより物を持ち上げる場合、高さ方向の位置はジャッキにより調整できるが、実際には高さ調整だけでなく、物を前後方向や左右方向にも動かしたいときがある。しかしながら、現状のジャッキは物を前後方向や左右方向へ移動させることができないのが実状である。
【０００５】
上記特許文献１記載の技術では、パンタグラフ形ジャッキの持つ高さ調整機能を建物ユニットの間隔を一定に保つのに利用しているが、記載されたパンタグラフ形ジャッキは物を前後方向や左右方向へ移動させる構造にはなっておらず、１つの方向のみに調整可能である。
【０００６】
この発明は、そのような問題点に着目してなされたものであって、ジャッキの高さ方向の調整は勿論のこと、前後方向や左右方向への位置調整も行うことができるジャッキの位置調整具を提供することを目的としている。
【０００７】
【課題を解決するための手段】
前記目的を達成するために、この発明のジャッキの位置調整具は、ジャッキと、このジャッキを前後方向及び左右方向のいずれか一方向に移動可能に支持するジャッキ支持台とを備えることを特徴とする。
【０００８】
この位置調整具では、ジャッキ支持台がジャッキを一方向（前後方向又は左右方向）に移動可能に支持するので、ジャッキを高さ方向だけでなく、一方向へも移動させることができ、その一方向の位置を調整できる。
【０００９】
この基本構成に加えて、ジャッキ支持台に、ジャッキの一方向の位置を固定するロック機構と、ジャッキの一方向の位置を微調整する微調整機構とを設けることで、ジャッキの一方向の位置が確実に固定されるだけでなく、一方向の位置の微調整を簡単に行うことができる。
【００１０】
また、ジャッキ支持台を一方向と直角な他方向に移動可能に支持する基台を備えることとすれば、一方向が前後方向（又は左右方向）であるとすると、この一方向に直角な他方向が左右方向（又は前後方向）になるので、ジャッキとジャッキ支持台を各々の可動方向に移動させることで、ジャッキを前後方向及び左右方向に移動させることができ、ジャッキの前後方向と左右方向の位置を調整できる。すなわち、この場合、ジャッキの３方向の位置調整が可能となる。
【００１１】
更に、基台に、ジャッキ支持台の他方向の位置を固定するロック機構と、ジャッキ支持台の他方向の位置を微調整する微調整機構とを設けることで、ジャッキの他方向の位置が確実に固定される上に、他方向の位置の微調整を簡単に行うことができる。
【００１２】
【発明の実施の形態】
以下、実施の形態により、この発明を更に詳細に説明する。
【００１３】
その実施形態に係るジャッキの位置調整具の斜視図を図１に、図１の矢視Ａから見た側面図を図２に、図２の左側面図を図３に、図２の状態における断面図を図４に、図３の状態における断面図を図５に示す。
【００１４】
このジャッキの位置調整具は、大別して、ジャッキ１と、ジャッキ１を一方向（前後方向又は左右方向、使い方によりどの方向にもなり得る）に移動可能に支持するジャッキ支持台２と、ジャッキ支持台２を一方向と直角な他方向（左右方向又は前後方向、上記と同じ）に移動可能に支持する基台３とを備える。
【００１５】
ジャッキ１は、ネジ付きのロッドを回転させることで菱形枠が伸縮するパンタグラフ形であり、工作物や構造物を載置台２０に載せて使用する。但し、載置台２０は一例であり、載置する物に応じて形状や大きさの異なるものに交換すればよい。このジャッキ１の構造は周知であるが、一例を図面に示してある。
【００１６】
このジャッキ１では、一対のリンク１１が横断面コ字状のブロック１０に軸１３により揺動可能に支持され、別の一対のリンク１２が載置台２０の裏面にネジ２１で取付けられた部材２２に軸２３により揺動可能に支持されている。一対のリンク１１及び一対のリンク１２の一方は、ジャッキ１の高さを調整するためのネジ付きロッド３０に移動可能に螺合されたスリーブ状部材３１にネジ１５により揺動可能に連接されている。一対のリンク１１及び一対のリンク１２の他方は、ロッド３０の後端部に不動に取付けられたスリーブ状部材３２にネジ１６により連接されている。
【００１７】
ロッド３０の前端部には、ロッド３０を回転操作するための蝶ナット３５及びナット３６が取付けられ、後端部には、ロッド３０の抜け防止用のナット３７が取付けられている。
【００１８】
蝶ナット３５を回すことにより、ロッド３０の回転に伴ってスリーブ状部材３１がスリーブ状部材３２に対してロッド３０の軸方向に相対的に移動するので、リンク１１，１２で構成されるリンク機構が開いたり閉じたりし、載置台２０が昇降する。これにより、ジャッキ１の高さ方向の調整を行うことができる。
【００１９】
このジャッキ１において、図４から明らかなように、一対のリンク１１が対面する端部は、凸部と凹部が互いに嵌合する形状に形成されているが、これは、ロッド３０の回転により両リンク１１が均等に変位するようにするため、つまり載置台２０が水平状態を保ったまま昇降するようにするためである。これに則して、図２では、もう一対のリンク１２が対面する端部は嵌合していないが、上記のためにはリンク１１の端部と同じように凸部と凹部が互いに嵌合する形状に形成するのが好ましい。
【００２０】
ジャッキ支持台２は、ジャッキ１のブロック１０がネジ４１により固定された移動部材４０と、この移動部材４０を案内するガイドレール５０とを有する。ガイドレール５０は、複数個の鋼球５２を支持する鋼球支持部材５１が当該レール５０に取付けられてなる。移動部材４０が鋼球支持部材５１の鋼球５２に沿って移動することで、ジャッキ１が一方向に移動する。
【００２１】
ガイドレール５０は両端部にそれぞれ突片５０ａを有し、この突片５０ａとジャッキ１のブロック１０を貫通するネジ付きロッド４５が設けられている。ロッド４５の両端部にはナット４６が取付けられており、このナット４６を回すことで、ロッド４５の回転に伴って移動部材４０が移動し、ジャッキ１の一方向の位置を微調整することができる。この微調整機構については後述する。なお、ナット４６の代わりに、ロッド４５を回し易いように蝶ナットを一方又は両方に用いてもよい。
【００２２】
基台３は、ジャッキ支持台２のガイドレール５０がネジ７１により固定された移動部材７０と、この移動部材７０を案内するガイドレール８０とを有する。ガイドレール８０は、複数個の鋼球８２を支持する鋼球支持部材８１が当該レール８０に取付けられてなる。移動部材７０が鋼球支持部材８１の鋼球８２に沿って移動することで、ジャッキ支持台２が他方向に移動する。また、ガイドレール８０は、このジャッキの位置調整具を安定支持するベース８５にネジ８６により固定されている。
【００２３】
なお、ジャッキ１を移動可能に支持する移動部材４０及びガイドレール５０と、ジャッキ支持台２を移動可能に支持する移動部材７０及びガイドレール８０とは同じ構造である。
【００２４】
移動部材７０は一端部に突片７０ａを有し、ガイドレール８０は一端部に突片８０ａを有し、これらの突片７０ａ，８０ａを貫通するネジ付きロッド７５が設けられている。ロッド７５の前端部には、蝶ナット７６とナット７７が取付けられ、後端部には、ロッド７５の抜け防止用のナット７８が取付けられている。蝶ナット７６を回すことで、ロッド７５の回転に伴って移動部材７０が移動し、ジャッキ支持台２の他方向の位置を微調整することができる。この微調整機構についても後述する。
【００２５】
一方、ジャッキ支持台２には、ジャッキ１の位置を固定するロック機構と、ジャッキ１の位置を微調整する微調整機構とが設けられている。この実施形態では、図９〜図１１も参照して、支持片６０が移動部材４０に設けられた突片４０ａにネジ６１で取付けられるとともに、３本のネジ６２でブロック１０に取付けられている。ロッド４５は支持片６０及び突片４０ａを貫通している。
【００２６】
３本のネジ６２のうちの１本のネジ６２には、レバー６３と係合棒６４が揺動可能に軸支され、係合棒６４は別の１本のネジ６２に嵌挿されたバネ６５により上方向に付勢されている。支持片６０には、係合棒６４が上方向に必要以上に変位するのを阻止する係止ネジ６６が取付けられ、受容部材６７がロッド４５を挟んで係合棒６４に相対して移動部材４０に固定されている。受容部材６７はロッド４５を受容する凹部（符号は付せず）を有する。また、係合棒６４のロッド４５の相対部分にはロッド４５に螺合するネジ溝（符号は付せず）が形成されている。
【００２７】
このジャッキ支持台２のロック機構及び微調整機構によれば、レバー６３を下げて係止ネジ６６に係合させると、ロッド４５が係合棒６４のネジ溝と受容部材６７の凹部により挟持された状態になる〔図１０及び図１１の（ａ）参照〕。この状態では、ロッド４５が係合棒６４のネジ溝に螺合しているので、ロッド４５を回せば、それに伴って移動部材４０がガイドレール５０に沿って一方向に移動する。これにより、ジャッキ１の一方向の位置を微調整することができる。換言すると、ロッド４５が係合棒６４のネジ溝と螺合しているときは、ロッド４５を回さない限り、ジャッキ１は一方向には動かず、ジャッキ１の一方向の位置が固定される。
【００２８】
一方、レバー６３を係止ネジ６６との係合から外して上方向に移動させると、係合棒６４がバネ６５の付勢により上方向に変位した状態になる〔図９及び図１１の（ｂ）参照〕。この状態では、ロッド４５が係合棒６４のネジ溝とは螺合しなくなるので、移動部材４０は、ロッド４５に関係なくガイドレール５０に沿って一方向に移動可能となる。これにより、ジャッキ１の位置固定が解除され、ジャッキ１の一方向の位置を大きく移動させることができる。
【００２９】
他方、基台３には、ジャッキ支持台２の位置を固定するロック機構と、ジャッキ支持台２の位置を微調整する微調整機構とが設けられている。この実施形態では、図６〜図８も参照して、ネジ溝部材９０及び係止部材９３がガイドレール８０の突片８０ａにネジ（図示せず）により固定されている。ネジ溝部材９０はロッド７５に螺合するネジ溝（符号は付せず）を有する。但し、ネジ溝部材９０のネジ溝は無くてもよい。
【００３０】
ロッド７５を挟んでネジ溝部材９０に相対して係合棒９１がネジ溝部材９０の端部にネジ（及びナット）９２で揺動可能に取付けられている。また、ネジ９２には部材９４が揺動可能に軸支され、部材９４にＬ字状部材９５がネジ９６により固定され、更にＬ字状部材９５がネジ９７により係合棒９１に固定されている。従って、係合棒９１と部材９４及びＬ字状部材９５とは一体に動く。係合棒９１は、ネジ９２に嵌挿されたバネ９８により上方向に付勢されている。係止部材９３は、その係合棒９１が上方向に必要以上に変位するのを阻止する役目を担っている。係合棒９１のロッド７５の相対部分にもロッド７５に螺合するネジ溝（符号は付せず）が形成されている。
【００３１】
係止部材９３には、弾性片１００の下端部がネジ１０１により取付けられ、上端部側に係合ネジ１０２が取付けられている。弾性片１００は、下端部の固定により上端部が係合ネジ１０２とともに揺動可能である。
【００３２】
この基台３のロック機構及び微調整機構によれば、係合棒９１を押し下げて係合ネジ１０２に係合させると、ロッド７５が係合棒９１とネジ溝部材９０のネジ溝により挟持された状態になる〔図７及び図８の（ａ）参照〕。この状態では、ロッド７５が係合棒９１とネジ溝部材９０のネジ溝に螺合しているので、ロッド７５を回すと、ロッド７５が他方向に進退する。このロッド７５の進退により、移動部材７０がガイドレール８０に沿って他方向に移動する。これにより、ジャッキ支持台２の他方向の位置を微調整することができる。換言すると、ロッド７５が係合棒９１及びネジ溝部材９０のネジ溝と螺合しているときは、ロッド７５を回さない限り、ジャッキ支持台２は他方向には動かず、ジャッキ支持台２の他方向の位置が固定される。
【００３３】
一方、図８の（ｂ）のように、弾性片１００を傾けると、係合棒９１が係合ネジ１０２との係合から外れ、バネ９８の付勢により上方向に変位して係止部材９３に当たった状態になる（図６も参照）。この状態では、ロッド７５は、係合棒９１の上方向の変位に連れて上方向に少し変位するので、係合棒９１とネジ溝部材９０のネジ溝と螺合しなくなり、移動部材７０は、ロッド７５に関係なくガイドレール８０に沿って他方向に移動可能となる。これにより、ジャッキ支持台２の位置固定が解除され、ジャッキ支持台２の他方向の位置を大きく移動させることができる。
【００３４】
このジャッキの位置調整具では、ジャッキ１の載置台２０に物を載せ、蝶ナット３５によりロッド３０を回せば、載置台２０が昇降する。また、ボルト４６によりロッド４５を回せば、載置台２０が一方向（前後方向又は左右方向）に移動する。更に、蝶ナット７６によりロッド７５を回せば、載置台２０が他方向（左右方向又は前後方向）に移動する。これらを組合せることで、載置台２０の位置を高さ方向、前後方向及び左右方向に調整できる。
【００３５】
勿論、前記したジャッキ支持台２と基台３のロック機構及び微調整機構を用いることで、載置台２０の前後方向及び左右方向の位置を固定できる上に、位置を微調整できる。
【００３６】
なお、上記実施形態のジャッキの位置調整具は、ジャッキ支持台２と基台３を備えているが、ジャッキ支持台２だけを備えるものであってもよい。つまり、ジャッキ支持台２のガイドレール５０をベース８５に直接固定すればよい。この場合、ジャッキ１を前後方向及び左右方向のいずれか一方向にのみ移動させることができる。
【００３７】
また、実施形態のジャッキの位置調整具は、用途に応じて各部品のサイズ、材質、形状等を設定すればよい。例えば、大きな重量物を対象とする場合は、安全性を考慮して強度を十分に高める必要があり、小さな軽量物の場合は、それほど強度は必要としない。
【００３８】
この位置調整具の用途に関連して、上記実施形態では、ロッド３０，７５をそれぞれ蝶ナット３５，７６で回すようになっているが、蝶ナット３５，７６を使用せずに、ナット３６，７７を手動又は電動工具（例えばスパナ）で回してもよいし、或いはナット３６，７７の代わりにリングを取付け、このリングをクランクスパナで回してもよい。勿論、ロッド４５のナット４６も同様である。
【００３９】
【発明の効果】
以上説明したように、請求項１記載の発明によれば、ジャッキ支持台がジャッキを一方向（前後方向又は左右方向）に移動可能に支持するので、ジャッキを高さ方向だけでなく、一方向にも移動させることができ、一方向の位置を調整できる。
【００４０】
請求項２記載の発明によれば、ジャッキの一方向の位置が確実に固定されるだけでなく、一方向の位置の微調整を簡単に行うことができる。
【００４１】
請求項３記載の発明によれば、ジャッキとジャッキ支持台を各々の可動方向に移動させることで、ジャッキを前後方向及び左右方向に移動させることができ、ジャッキの前後方向と左右方向の位置を調整できる。つまり、ジャッキの３方向（高さ方向、前後方向及び左右方向）の位置調整が可能となる。
【００４２】
請求項４記載の発明によれば、ジャッキの一方向とは直角な他方向の位置が確実に固定される上に、他方向の位置の微調整を簡単に行うことができる。
【図面の簡単な説明】
【図１】実施形態に係るジャッキの位置調整具の斜視図である。
【図２】図１の同ジャッキの位置調整具を矢視Ａから見た側面図である。
【図３】図２の同ジャッキの位置調整具の左側面図である。
【図４】図２の同ジャッキの位置調整具の断面図である。
【図５】図３の同ジャッキの位置調整具の断面図である。
【図６】同ジャッキの位置調整具における基台に設けられたロック機構及び微調整機構を説明するための要部断面図である。
【図７】同ジャッキの位置調整具における基台に設けられたロック機構及び微調整機構を説明するための要部断面図である。
【図８】同ジャッキの位置調整具における基台に設けられたロック機構及び微調整機構を説明するための簡略図であり、ロック状態の要部拡大断面図（ａ）、及びロック解除状態の要部拡大断面図（ｂ）である。
【図９】同ジャッキの位置調整具におけるジャッキ支持台に設けられたロック機構及び微調整機構を説明するための要部断面図である。
【図１０】同ジャッキの位置調整具におけるジャッキ支持台に設けられたロック機構及び微調整機構を説明するための要部断面図である。
【図１１】同ジャッキの位置調整具におけるジャッキ支持台に設けられたロック機構及び微調整機構を説明するための簡略図であり、ロック状態の要部拡大断面図（ａ）、及びロック解除状態の要部拡大断面図（ｂ）である。
【符号の説明】
１                  ジャッキ
２                  ジャッキ支持台
３                  基台
２０                載置台
３０，４５，７５    ネジ付きロッド
４０，７０          移動部材
５０，８０          ガイドレール
６３                レバー
６４，９１          係合棒
６５，９８          バネ
６６                係止ネジ
６７                受容部材
９０                ネジ溝部材
９３                係止部材
１００              弾性片
１０２              係合ネジ
【図１】
2004256269.tif 000003
【図２】
2004256269.tif 000004
【図３】
2004256269.tif 000005
【図４】
2004256269.tif 000006
【図５】
2004256269.tif 000007
【図６】
2004256269.tif 000008
【図７】
2004256269.tif 000009
【図８】
2004256269.tif 000010
【図９】
2004256269.tif 000011
【図１０】
2004256269.tif 000012
【図１１】
2004256269.tif 000013